(57)【要約】ディスプレイスクリーン（３２０）上で視聴されるイメージを操作するための方法および装置に関する。イメージは補助ディスプレイデバイス（２００）のタッチスクリーン（２０５）上で選択されるナビゲーションコマンドを受取るプロセッサ（２１５）によりコントロールされる。タッチスクリーン（２０５）は複数のナビゲーションコントロール領域（２１０，２２０，２３０，２４０，２５０，２６０，２７０，２８０）に区分される。各ナビゲーションコントロール領域は異なるナビゲーションコマンドと関連付けられている。タッチスクリーン（２０５）のナビゲーションコントロール領域の１つが選択される場合、選択されるナビゲーションコントロール領域と関連付けられるナビゲーションコマンドはプロセッサ（２１５）へ伝送される。プロセッサ（２１５）は、イメージを操作するために伝送されるナビゲーションコマンドを受取および実行する。コントロール領域の境界は通常では視界から隠されているが、ユーザの入力に応じてタッチスクリーン（２０５）上に出現される。
2005524289.tif 000002
【特許請求の範囲】
【請求項１】
ディスプレイスクリーン上で視認されるイメージを操作する方法において、前記イメージは補助ディスプレイデバイスのタッチスクリーン上で選択されるナビゲーションコマンドを受取るプロセッサによりコントロールされ、前記方法は、
（ａ）前記タッチスクリーンを異なるナビゲーションコマンドと各々関連付けられる複数のナビゲーションコントロール領域に区分するステップと、
（ｂ）前記ナビゲーションコントロール領域の１つを選択するステップと、
（ｃ）選択された前記ナビゲーションコントロール領域と関連付けられる前記ナビゲーションコマンドを前記プロセッサへ伝送するステップと、
（ｄ）前記プロセッサが前記イメージを操作するために伝送される前記ナビゲーションコマンドを受取および実行するステップとを備える方法。
【請求項２】
請求項１に記載の方法において、前記イメージは複数の選択可能なイメージ部分を有し、前記選択可能なイメージ部分のうちの少なくとも１つが可能性のある選択肢として、その時に強調表示されている方法。
【請求項３】
請求項２に記載の方法において、ステップ（ａ）は、
（ｉ）前記タッチスクリーンの中心円形部分を画定するステップと、
（ｉｉ）前記中心円形部分を４つの中心ナビゲーションコントロール領域および少なくとも１つのエントリーコントロール領域に分割するステップとを備える方法。
【請求項４】
請求項３に記載の方法において、ステップ（ａ）は、
（ｉｉｉ）前記タッチスクリーンの４つの角ナビゲーションコントロール領域を画定するステップを更に備え、各々の角ナビゲーションコントロール領域は前記中心円形部分に隣接してかつ前記タッチスクリーンのそれぞれの角に配置されている方法。
【請求項５】
請求項４に記載の方法において、前記４つの角ナビゲーションコントロール領域と関連付けられる前記ナビゲーションコマンドの各々は、選択可能な前記イメージ部分のうちの少なくとも１つの位置と対応するＸ座標およびＹ座標を変更するために用いられる方法。
【請求項６】
請求項３に記載の方法において、前記４つの中心ナビゲーションコントロール領域と関連付けられる前記ナビゲーションコマンドの各々は、選択可能な前記イメージ部分のうちの少なくとも１つの位置と対応するＸ座標およびＹ座標のうちの１つを変更するために用いられる方法。
【請求項７】
請求項２に記載の方法において、各ナビゲーションコントロール領域は異なるナビゲーションコマンドが前記プロセッサにより実行されたときに、その時に強調表示されている前記イメージ部分から強調表示されている前記イメージ部分に隣接するイメージ部分へ強調表示される前記イメージ部分を変更する前記異なるナビゲーションコマンドと関連付けられる方法。
【請求項８】
請求項２に記載の方法において、前記タッチスクリーンの前記区分は少なくとも１つのエントリーコントロール領域を備え、前記方法は、
（ｅ）その時に強調表示されている選択可能な前記イメージ部分と関連付けられる機能を作動させるために前記エントリーコントロール領域を選択するステップを更に備える方法。
【請求項９】
請求項１に記載の方法において、前記タッチスクリーンの前記区分は少なくとも１つのエントリーコントロール領域を更に有し、前記エントリーコントロール領域の前記境界は視
界から隠されている方法。
【請求項１０】
請求項９に記載の方法において、前記エントリーコントロール領域の前記境界はユーザの入力に応じて前記タッチスクリーン上に出現される方法。
【請求項１１】
請求項１に記載の方法において、ステップ（ａ）は、
（ｉ）前記タッチスクリーンの中心円形部分を画定するステップと、
（ｉｉ）前記中心円形部分を４つの中心ナビゲーションコントロール領域および少なくとも１つのエントリーコントロール領域に分割するステップと、
（ｉｉｉ）各々前記中心円形部分に隣接してかつ前記タッチスクリーンのそれぞれの角に配置されている、４つの角ナビゲーションコントロール領域を画定するステップとを備える方法。
【請求項１２】
請求項１に記載の方法において、ステップ（ｂ）は前記タッチスクリーンに対してスタイラスを押すことにより実行される方法。
【請求項１３】
請求項１に記載の方法において、ステップ（ｂ）は前記タッチスクリーンに対して前記補助ディスプレイデバイスのユーザの指を押すことにより実行される方法。
【請求項１４】
請求項１に記載の方法において、前記イメージは複数の隣接する番組ウィンドウを有する電子番組ガイド（ＥＰＧ）のテレビ番組グリッドを有し、前記ナビゲーションコントロール領域の１つの前記選択は先に強調表示されている番組ウィンドウに隣接した特定の番組ウィンドウに実行される前記ナビゲーションコマンドに従って可能性のある選択のため強調表示されることを生じさせる方法。
【請求項１５】
請求項１に記載の方法において、前記イメージはゲームをするために操作される方法。
【請求項１６】
ディスプレイスクリーン上で視認されるイメージを操作する装置において、前記イメージは前記装置からナビゲーションコマンドを受取るプロセッサによりコントロールされ、前記装置は、
（ａ）異なるナビゲーションコマンドと各々関連付けられる複数のナビゲーションコントロール領域に区分される前記ナビゲーションコントロール領域を選択するために用いられるタッチスクリーンと、
（ｂ）選択される前記ナビゲーションコントロール領域と関連付けられる前記ナビゲーションコマンドを前記プロセッサへ伝送するためのトランスミッタと、前記プロセッサは前記イメージを操作するために伝送される前記ナビゲーションコマンドを受取および実行することとを備える装置。
【請求項１７】
請求項１６に記載の装置において、前記イメージは少なくとも１つが可能性のある選択肢としてその時に強調表示されている複数の選択可能なイメージ部分を有する装置。
【請求項１８】
請求項１７に記載の装置において、前記タッチスクリーンの中心円形部分は４つの中心ナビゲーションコントロール領域および少なくとも１つのエントリーコントロール領域に画定および分割される装置。
【請求項１９】
請求項１８に記載の装置において、前記タッチスクリーン上の４つの角ナビゲーションコントロール領域は画定され、各角ナビゲーションコントロール領域は前記中心円形部分に隣接しかつ前記タッチスクリーンのそれぞれの角に配置される装置。
【請求項２０】
請求項１９に記載の装置において、前記４つの角ナビゲーションコントロール領域と関連
付けられる前記ナビゲーションコマンドの各々は選択可能な前記イメージ部分のうちの少なくとも１つの位置と対応するＸ座標およびＹ座標を変更するために用いられる装置。
【請求項２１】
請求項１８に記載の装置において、前記４つの中心ナビゲーションコントロール領域と関連付けられる前記ナビゲーションコマンドの各々は選択可能な前記イメージ部分のうちの少なくとも１つの位置と対応するＸ座標およびＹ座標のうちの１つを変更するために用いられる装置。
【請求項２２】
請求項１７に記載の装置において、各ナビゲーションコントロール領域は異なるナビゲーションコマンドが前記プロセッサにより実行されたときに、その時に強調表示されている前記イメージ部分から強調表示されている前記イメージ部分に隣接するイメージ部分へ強調表示される前記イメージ部分を変更する前記異なるナビゲーションコマンドと関連付けられる装置。
【請求項２３】
請求項１７に記載の装置において、前記タッチスクリーンの前記区分は前記その時に強調表示されている選択可能なイメージ部分と関連付けられる機能を作動させるために選択される少なくとも１つのエントリーコントロール領域を更に有する装置。
【請求項２４】
請求項１６に記載の装置において、前記タッチスクリーンの前記区分は少なくとも１つのエントリーコントロール領域を更に有し、前記エントリーコントロール領域の前記境界は視界から隠されている装置。
【請求項２５】
請求項２４に記載の装置において、前記エントリーコントロール領域の前記境界はユーザの入力に応じて前記タッチスクリーン上に出現される装置。
【請求項２６】
請求項１６に記載の装置において、前記タッチスクリーンの中心円形部分は４つの中心ナビゲーションコントロール領域および少なくとも１つのエントリーコントロール領域に画定および分割され、前記タッチスクリーンの４つの角ナビゲーションコントロール領域は画定されて、各角ナビゲーションコントロール領域は前記中心円形部分に隣接してかつ前記タッチスクリーンのそれぞれの角に配置されている装置。
【請求項２７】
請求項１６に記載の装置において、前記ナビゲーションコントロール領域の１つは前記タッチスクリーンに対してスタイラスを押すことにより選択される方法。
【請求項２８】
請求項１６に記載の装置において、前記ナビゲーションコントロール領域の１つは前記タッチスクリーンに対して前記補助ディスプレイデバイスのユーザの指を押すことにより選択される方法。
【請求項２９】
請求項１６に記載の装置において、前記イメージは複数の隣接する番組ウィンドウを有する電子番組ガイド（ＥＰＧ）のテレビ番組グリッドを有し、前記ナビゲーションコントロール領域の１つの前記選択は先に強調表示されている番組ウィンドウに隣接した特定の番組ウィンドウに実行される前記ナビゲーションコマンドに従って可能性のある選択のため強調表示されることを生じさせる装置。
【請求項３０】
請求項１６に記載の装置において、前記イメージはゲームをするために操作される装置。
【請求項３１】
請求項１６に記載の装置において、赤外線（ＩＲ）消費者電子デバイスである装置。
【請求項３２】
請求項１６に記載の装置において、前記プロセッサはセットトップボックス（ＳＴＢ）中に配置され、前記ディスプレイスクリーンは前記ＳＴＢと通信するテレビである装置。
【発明の詳細な説明】
【技術分野】
【０００１】
本発明は一般にタッチスクリーンを用いてディスプレイスクリーン上で視聴されるイメージを操作することに関する。
【背景技術】
【０００２】
補助ディスプレイデバイス上の第２のディスプレイスクリーンを利用した映像補完データがテレビ視聴者に利用可能となる、テレビ視聴経験の新時代が現れている。補助ディスプレイデバイスの一例は、比較的小さなリモート無線デバイスであるウェブパッド（webpad）である。
【０００３】
図１には、従来の２画面ディジタルケーブルテレビシステム１００が示される。システム１００は無線接続を用いてディジタルセットトップボックス（ＳＴＢ）１１０（「ローカルデバイス」としても称される）と通信する補助ディスプレイデバイス１０５を有する。無線接続は、無線ラジオ周波数（ＲＦ）接続１２５を通じて補助ディスプレイデバイス１０５と通信するアクセスポイント１２０の装備されるユニバーサルシリアルバス（ＵＳＢ）、イーサネット、またはアイトリプルイー（ＩＥＥＥ）１３９４ポート等の、ＳＴＢ１１０上の外部ポートを利用する。ここではアクセスポイント１２０は特定のインターフェース（例えばＵＳＢ）用に設計されるデバイスであり、無線接続性をサポートするために用いられる。補助ディスプレイデバイス１０５はまた、高速なケーブルモデム、ディジタル加入者（ＤＳＬ）モデム、またはインターネット１３５にアクセスするための任意の他の高速なインターネット接続デバイスに直接接続されてよい。テレビ映像番組編成１４０はＳＴＢ１１０経由でアクセス可能である。テレビシステム１００によって使用され得る典型的な無線接続プロトコルには、ホームアールエフ（ＨｏｍｅＲＦ（登録商標））およびＩＥＥＥ８０２．１１が含まれるが、それらに限定されない。さらに以前の有線接続はＳＴＢ１１０および補助ディスプレイデバイス１０５の間に、ここでもＵＳＢ、イーサネット、またはＩＥＥＥ１３９４ポートを使用する、単純なケーブルまたはワイヤを有する。ＳＴＢ１１０はまたテレビ１３０に接続される。
【０００４】
２画面ディジタルケーブルテレビシステム１００は１画面システムを超える多くの性能向上を可能にする。例えば、ユーザは補助ディスプレイデバイス１０５のスクリーン上でインターネットのデータを視聴し、その間にテレビ１３０上で中断されず映像を視聴することができる。別の例では、通常はテレビスクリーン上で視聴されるＳＴＢアプリケーションは、テレビ１３０を映像番組視聴用に使用可能に残して、補助ディスプレイデバイス１０５のスクリーン上で視聴される。
【０００５】
ＣＡＴＶシステムでは、電子番組ガイド（ＥＰＧ）は補助ディスプレイデバイス１０５等の第２のスクリーンデバイス上で動作するアプリケーションを通じて対話できるアプリケーションの詳細例である。ＥＰＧは、どの番組がテレビで視聴可能か、いつ、どのチャンネルで番組は放送されるか、を特定するために視聴者により用いられる。更に高性能なＥＰＧは、番組が幼児に適当か、どの俳優が番組に出演するか、番組はどの程度の長さか、および番組は何に関するものか、を特定するために視聴者によって用いられる補足情報を表示する。ＥＰＧでは通常、個々のウィンドウ化される部分は表示される各番組用に割当てられる。ＣＡＴＶ番組の視聴者はＥＰＧを操作するためにＧＵＩを用い、特別に関心のあるＥＰＧ中の番組ウィンドウを選択する。
【０００６】
特許文献１（ダービー（Darbee）ら）には、テレビ上に示される番組編成を選択しビジュアルディスプレイ上にイメージを表示するリモートコントロールディスプレイユニット
が開示される。特許文献１に開示されるリモートコントロールディスプレイユニットは上、下、左および右に移動させることによりＥＰＧを操作するために用いられるイーゼット・エヌエーブイ（ＥＺ  ＮＡＶ）キーを有する。特許文献１には、イメージを操作するためにタッチスクリーン上のナビゲーションコントロール領域を用いることは開示されない。
【０００７】
更に、多くのオペレーティングシステムはスクリーン上のイメージが操作されるのを可能にするためにディスプレイスクリーンのＸおよび／またはＹ軸縁部に表示されるスクロールバーを用いる。スクロールバーは、イメージをより大きく、より散漫にしない視界で表示するために用いられ得たであろう、ディスプレイの有意な部分を占める。
【特許文献１】米国特許第６，１３０，７２６号明細書
【発明の開示】
【発明が解決しようとする課題】
【０００８】
したがって、空間を消費するスクロールバー、またはジョイスティック、マウス、キー等の物理的コントロールデバイスを用いることなく、補助ディスプレイデバイスのディスプレイ上に表示されるイメージ（例えば、ＥＰＧ、ゲーム）を操作することが好適である。
【課題を解決するための手段】
【０００９】
本発明はディスプレイスクリーン上で視聴されるイメージを操作するための方法および装置に関する。イメージは補助ディスプレイデバイスのタッチスクリーン上で選択されるナビゲーションコマンドを受取るプロセッサによりコントロールされる。タッチスクリーンは複数のナビゲーションコントロール領域に区分される。各ナビゲーションコントロール領域は異なるナビゲーションコマンドと関連付けられる。ナビゲーションコントロール領域の１つが選択される。選択されるナビゲーションコントロール領域と関連付けられるナビゲーションコマンドはプロセッサへ伝送される。プロセッサはイメージを操作するために伝送されるナビゲーションコマンドを受取および実行する。
【００１０】
イメージは複数の選択可能なイメージ部分を有し得る。選択可能なイメージ部分の少なくとも１つは可能な選択肢としてその時点に強調表示されてもよい。
タッチスクリーンの中心円形部分は４つの中心ナビゲーションコントロール領域および少なくとも１つのエントリーコントロール領域に画定および分割されていてもよい。タッチスクリーンの４つの角ナビゲーションコントロール領域が画定されていてもよい。各角ナビゲーションコントロール領域は中心円形部分に隣接およびタッチスクリーンのそれぞれの角に配置されていてもよい。
【００１１】
４つの角ナビゲーションコントロール領域と関連付けられる各ナビゲーションコマンドは少なくとも１つの選択可能なイメージ部分の位置と対応するＸ座標およびＹ座標を変更するために用いられ得る。４つの中心ナビゲーションコントロール領域と関連付けられる各ナビゲーションコマンドは少なくとも１つの選択可能なイメージ部分の位置と対応するＸ座標およびＹ座標の１つを変更するために用いられ得る。各ナビゲーションコントロール領域は、異なるナビゲーションコマンドがプロセッサにより実行される場合にその時点で強調表示されているイメージ部分からその時点で強調表示されているイメージ部分に隣接するイメージ部分へ強調表示されるイメージ部分を変更する、異なるナビゲーションコマンドと関連付けられ得る。
【００１２】
タッチスクリーンの区分は少なくとも１つのエントリーコントロール領域を更に有していてもよい。エントリーコントロール領域はその時に強調表示されている選択可能なイメージ部分と関連付けられる機能を作動させるために選択されてよい。
【００１３】
コントロール領域の境界は視界から隠されてよく、かつユーザの入力に応じてタッチスクリーン上に出現されてもよい。スタイラスまたはユーザの指はあるナビゲーションコントロール領域を選択するためにタッチスクリーンに対して押されてもよい。イメージは複数の隣接する番組ウィンドウを有する電子番組ガイド（ＥＰＧ）のテレビ番組グリッドを有してよい。１つのナビゲーションコントロール領域の選択は、先に強調表示されている番組ウィンドウに隣接する特定の番組ウィンドウに、実行されるナビゲーションコマンドに従い選択可能のため強調表示されることを生じてもよい。イメージはゲームをするために操作されてよい。
【００１４】
装置は選択されるナビゲーションコントロール領域と関連付けられるナビゲーションコマンドをプロセッサへ伝送するための区分されるタッチスクリーンおよびトランスミッタを有する。装置は赤外線（ＩＲ）消費者電子デバイスであってよい。プロセッサはセットトップボックス（ＳＴＢ）中に配置されてよく、ディスプレイスクリーンはＳＴＢと通信するテレビであってよい。
【発明を実施するための最良の形態】
【００１５】
本発明の好適な実施様態の以下の詳細な説明は添付される図面と共に読まれる場合によりよく理解されるであろう。本発明を図示する目的で、好適である実施様態が図面に示される。しかしながら、本発明は示される厳密な配置および手段に限定されない。
【００１６】
図２には本発明の好適な実施様態に従い稼働する補助ディスプレイデバイス２００が示される。補助ディスプレイデバイス２００は、タッチスクリーン（接触スクリーン）２０５、プロセッサ２１５、プロセッサ２１５上で動作するアプリケーションプログラム２２５、およびトランスミッタ２４５を有する。補助ディスプレイデバイス２００はディスプレイスクリーン上で視聴されるイメージを操作するために用いられる。
【００１７】
基本的なタッチスクリーンは３つの部品、センサ、コントローラ、およびドライバを持つ。タッチスクリーンセンサは補助ディスプレイデバイスのディスプレイの上に備えられる透明なパネルである。ソフトウェアドライバは、タッチスクリーンセンサにより感知されるタッチイベントをナビゲーションコマンドに翻訳することにより、タッチスクリーンがオペレーティングシステムとインターフェースするのを可能にする。タッチスクリーンコントローラはタッチスクリーンセンサから受取られる信号を処理する。幾つかの種類のタッチスクリーン技術が現在用いられており、
１．抵抗膜式
２．表面弾性波式
３．静電容量式
がある。
【００１８】
抵抗膜式タッチスクリーンは電気的に伝導性および抵抗性の膜で覆われるガラスまたはアクリルのパネルからなる。薄膜は不可視のセパレータドット（separator dot ）により隔てられている。稼働時には、タッチスクリーンを通じて電流が移動する。指またはスタイラスによりスクリーン圧力が作用される場合、膜は押し合わされて、電流の変化および記憶されるためのタッチイベントを生じさせる。
【００１９】
表面弾性波技術は一連のトランスデューサおよび反射器を用いて透明なガラスパネルを渡る弾性波を送ることに基づく。指またはスタイラスがスクリーンを触れる場合、波は吸収されて、記憶されるためのタッチイベントを生じさせる。
【００２０】
静電容量式タッチスクリーンは、その表面を覆う静電容量（電荷貯蔵）材料を持つガラ
スパネルからなる。スクリーンの角に配置される回路はスクリーンを触れる人間の静電容量を測定する。周波数変化はタッチイベントに対応するＸおよびＹを特定するために測定される。
【００２１】
アプリケーションプログラム２２５はタッチスクリーン２０５を複数のナビゲーションコントロール領域２１０，２２０，２３０，２４０，２５０，２６０，２７０，２８０および少なくとも１つのエントリーコントロール領域２９０に区分する。各ナビゲーション領域は異なるナビゲーションコマンドと関連付けられる。ナビゲーションコントロール領域２１０は「上」ナビゲーションコマンドと関連付けられる。ナビゲーションコントロール領域２２０は「下」ナビゲーションコマンドと関連付けられる。ナビゲーションコントロール領域２３０は「左」ナビゲーションコマンドと関連付けられる。ナビゲーションコントロール領域２４０は「右」ナビゲーションコマンドと関連付けられる。ナビゲーションコントロール領域２５０は「上および左」ナビゲーションコマンドと関連付けられる。ナビゲーションコントロール領域２６０は「下および左」ナビゲーションコマンドと関連付けられる。ナビゲーションコントロール領域２７０は「上および右」ナビゲーションコマンドと関連付けられる。ナビゲーションコントロール領域２８０は「下および右」ナビゲーションコマンドと関連付けられる。操作されるイメージに関連のないアプリケーションがタッチスクリーン２０５上にその時表示される間にも、スタイラスまたはユーザの指は異なるナビゲーションコントロール領域を選択するためにタッチスクリーン２０５に対して押される。タッチスクリーン２０５は操作されているイメージを表示しない。
【００２２】
図３には、本発明を実施するシステム３００の例が示される。システム３００は補助ディスプレイデバイス２００、ディスプレイコントロールデバイス（例えばセットトップボックス（ＳＴＢ））３０５、およびイメージディスプレイスクリーン３２０（例えばテレビ）を有する。ディスプレイコントロールデバイス３０５は受信機３１０およびプロセッサ３１５を有する。プロセッサ３１５は補助ディスプレイデバイス２００からナビゲーションコマンドを受取り、ディスプレイスクリーン３２０上で視聴されるイメージをコントロールする。ユーザがタッチスクリーン２０５上でナビゲーションコントロール領域を選択する場合、選択されるナビゲーションコントロール領域と関連付けられるナビゲーションコマンドはプロセッサ２１５によりメモリ（図示せず）から生成または取出され、有線または無線媒体を通じて伝送するためにトランスミッタ２４５へ転送される。ディスプレイコントロールデバイス３０５中の受信機３１０は伝送されるナビゲーションコマンドを受取り、ＳＴＢ中のプロセッサ３１５へコマンドを転送する。それに従いプロセッサはイメージを操作する伝送されるナビゲーションコマンドを受取および実行する。
【００２３】
ある実施様態では、図４〜６に示されるように、イメージは複数の選択可能なイメージ部分を持つ。少なくとも１つの選択可能なイメージ部分は補助ディスプレイデバイス２００のユーザにより選択可能のためその時強調表示されている。ユーザは少なくとも１つのエントリーコントロール領域２９０（図２参照）を選択することによりその時に強調表示されている選択可能なイメージ部分と関連付けられる機能を作動させることができる。選択されるコントロール領域と関連付けられる特定のナビゲーションコマンドは、実行されるコマンドに従いディスプレイスクリーン３２０上の第１の位置で表示されるその時に選択される部分からディスプレイスクリーン３２０上の第２の位置で表示される異なる選択される部分へ選択される部分を変更するために、実行される。
【００２４】
ある好適な実施様態では、選択されるナビゲーションコマンドは、イメージディスプレイスクリーン３２０上で視聴されるイメージのどの部分が選択されるかをコントロールするために、無線信号に翻訳されて、トランスミッタ２４５を経由してディスプレイコントロールデバイス３０５へ伝送される。
【００２５】
ユーザがスタイラスまたは指により開始されるタッチにより補助ディスプレイデバイス２００のタッチスクリーン２０５上の画定されるコントロール領域２１０，２２０，２３０，２４０，２５０，２６０，２７０，２８０の１つを選択する場合、１以上のナビゲーションコマンド信号はセットトップボックスのディスプレイコントロールデバイスに伝送される。信号は赤外線（ＩＲ）または無線ラジオ周波数（ＲＦ）信号の形式を取ることができる。これに代えて、ナビゲーションコマンド信号はイーサネット、ＵＳＢ、１３９４等の典型的な有線プロトコルを用いる有線インターフェースを通じて伝送されることができる。
【００２６】
ディスプレイスクリーン３２０上で視聴されるイメージは、特定のチャンネルおよび／または番組編成が開始するべき間の時間枠に対応する、複数の隣接するウィンドウＡ〜Ｘを有する電子番組ガイド（ＥＰＧ）のテレビ番組グリッドを有することができる。タッチスクリーン２０５上のあるナビゲーションコントロール領域の選択は、実行されるコマンドに従い選択されるために、先に選択されるウィンドウに隣接する特定の番組ウィンドウを生じさせる。
【００２７】
図４には、本発明を用いたイメージディスプレイスクリーン３２０上に視聴される番組グリッドを操作する例が示され、番組ウィンドウＰがその後の可能な選択肢としてその時点で強調表示されている。ナビゲーションコントロール領域２３０（「左」）が選択される場合、図５に示されるように、番組ウィンドウＯは番組ウィンドウＰの代わりに強調表示される。続いて、図６に示されるように、ナビゲーションコントロール領域２５０（「上および左」）が選択される場合、番組ウィンドウＨは番組ウィンドウＯの代わりに強調表示される。ウィンドウＨが強調表示されている間にエントリーコントロール領域２９０が選択される場合、ディスプレイコントロールデバイス３０５中のプロセッサ３１５が補助ディスプレイデバイス２００から対応するエントリーコマンドを受取および実行する際に、ハイパーリンクまたは第２のウィンドウ等、ウィンドウＨと関連付けられる機能は作動される。
【００２８】
この時点で表示される番組グリッドは、３時間分のウィンドウだけ、または使用可能なチャンネルの部分だけ等、全番組グリッドの一部分だけを示してよい。その場合には、ユーザがその時に表示される番組グリッドの縁に到達し、縁を越えるナビゲーションコントロール領域を選択する場合、番組グリッドの追加部分は出現されてよい。その時に表示される番組グリッドが全番組グリッドを示す場合、そのような選択は無視される。
【００２９】
ユーザがナビゲーションコントロール領域２５０，２６０，２７０，２８０の１つを選択することにより組合わせの移動を実行することを望む場合、ユーザが連続してナビゲーションコントロール領域２１０，２２０，２３０，２４０のうち２つを個々に選択したかのように、補助ディスプレイデバイス２００内のプロセッサ２１５上で動作するアプリケーション２２５は補助ディスプレイデバイス２００からディスプレイコントロールデバイス３０５へ伝送される２つの連続したコマンドを生じさせる。これに代えて、単一の「組合せ」コマンドが伝送されることもできる。
【００３０】
ディスプレイスクリーン３２０上で視聴されるイメージはまた、上述と同様の仕方でゲームの駒または他のイメージを移動することによりゲーム（例えば、パックマン（Pac-Man ）（商標）、スペースインベーダー（Space Invaders）（商標）等）をするために操作され得る。
【００３１】
本発明の他の好適な実施様態では、ナビゲーションコントロール領域は、ＳＴＢ３０５上でその時に実行しディスプレイスクリーン３２０上で放映されているアプリケーションが何であれ、それに関連して発現する動作または機能を生じさせるために用いられてよい
。各アプリケーションは特定のナビゲーションコマンドに関連して発現する動作または機能の異なる集合を持ってよい。上述のＥＰＧアプリケーション等のアプリケーションでは、ナビゲーションコントロール領域の選択はナビゲーション機能の発生を生じさせる（例えば、左ナビゲーションコントロール領域２３０の選択は左への移動を生じさせ、下ナビゲーションコントロール領域２２０の選択は下向きの移動を生じさせる）。しかしながら、別のアプリケーションでは、ナビゲーションコントロール領域の選択は必ずしもナビゲーション機能の発生を生じさせなくてよい。例えば、ナビゲーションコントロール領域は、モード変更またはアイテム選択等、異なる動作または機能を生じさせてよい。モード変更またはアイテム選択は必ずしもディスプレイスクリーン上で何らかの移動を生じさせなくてよい。本発明の範囲はそのような代替の実施様態を有する。
【００３２】
図７には、補助ディスプレイデバイス２００を用いてディスプレイスクリーン３２０上に示されるイメージを操作するためのステップを有する流れ図が示される。アプリケーション２２５はタッチスクリーン２０５を複数のナビゲーションコントロール領域２１０，２２０，２３０，２４０，２５０，２６０，２７０，２８０および少なくとも１つのエントリーコントロール領域２９０に区分する補助ディスプレイデバイス２００内のプロセッサ２１５上で動作される（ステップ５０５）。各ナビゲーションコントロール領域２１０，２２０，２３０，２４０，２５０，２６０，２７０，２８０はディスプレイスクリーン３２０上で視聴されるイメージ部分の選択を変更する特定のナビゲーションコマンドと関連付けられる。ナビゲーションコントロール領域の１つが選択される（ステップ５１０）。選択されるコントロール領域と関連付けられる特定のナビゲーションコマンドは補助ディスプレイデバイス２００からＳＴＢ３１０内のプロセッサ３１５へ伝送される（ステップ５１５）。ステップ５２０では、ディスプレイコントロールデバイス３０５内のプロセッサ３１０は伝送されるナビゲーションコマンドに基づいてディスプレイスクリーン３２０上で視聴されるイメージを操作する。ナビゲーションコントロール領域の別の１つが選択される毎に（ステップ５２５）、ステップ５１０，５１５，５２０は繰返される。
【００３３】
本発明はハードウェアおよびソフトウェアの任意の組合せで実施されてよい。コンピュータ実施装置として実施される場合には、本発明は上述のステップおよび機能の全てを実行するための手段を用いて実施される。
【００３４】
本発明は、例えばコンピュータの使用可能媒体を持つ製造品（例えば、１以上のコンピュータプログラム製品）に有されることができる。媒体は例えば、本発明の機構を提供および促進するためのコンピュータ可読プログラムコード手段に具体化される。製造品はコンピュータシステムの一部または単独に販売されるものとして有されることができる。
【００３５】
その広範な発明の概念から逸脱することなく上述の実施様態に変更がなされ得ることは当業者らには認識されるであろう。したがって、本発明は開示される詳細な実施様態に限定されず、付随される請求項により規定される本発明の精神および範囲内の変更を補うと解釈されことが理解される。
【図面の簡単な説明】
【００３６】
【図１】従来の２画面ディジタルケーブルテレビシステムを示すブロック図。
【図２】本発明に従う補助ディスプレイデバイスのディスプレイ上のグラフィカルユーザインターフェースを示す概略図。
【図３】本発明に従うディスプレイスクリーン上で視聴されるイメージを操作するために用いられるコマンドを選択および処理するためのシステムを示すブロック図。
【図４】本発明に従うディスプレイスクリーン上で視聴されるイメージがどのように操作されるかの例を示す概略図。
【図５】本発明に従うディスプレイスクリーン上で視聴されるイメージがどのように操作されるかの例を示す概略図。
【図６】本発明に従うディスプレイスクリーン上で視聴されるイメージがどのように操作されるかの例を示す概略図。
【図７】図２および３に示される装置により実行されるステップを有する高度機能を示す流れ図。
【図１】
2005524289.tif 000003
【図２】
2005524289.tif 000004
【図３】
2005524289.tif 000005
【図４】
2005524289.tif 000006
【図５】
2005524289.tif 000007
【図６】
2005524289.tif 000008
【図７】
2005524289.tif 000009
【国際調査報告】
2005524289.tif 000010
2005524289.tif 000011
2005524289.tif 000012